【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
モバイル端末から前記モバイル端末の動きに応じて発生するリクエストを受信するリクエスト受信部と、
前記モバイル端末の位置情報を提供する情報提供部と、
前記位置情報に基づいて少なくとも１つの他のモバイル端末を確認するモバイル端末確認部と、
前記確認された他のモバイル端末のユーザに関する情報を提供するユーザ情報提供部と、
を備えることを特徴とするソーシャルネットワークサービス提供システム。
【請求項２】
前記ユーザ情報提供部は、前記モバイル端末のユーザに関する情報を前記確認された他のモバイル端末にさらに提供することを特徴とする請求項１に記載のソーシャルネットワークサービス提供システム。
【請求項３】
前記モバイル端末で前記確認された他のモバイル端末のユーザに関する情報が選択され、前記確認された他のモバイル端末で前記モバイル端末のユーザに関する情報が選択される場合、前記モバイル端末のユーザに関する情報と前記他のモバイル端末のユーザに関する情報とを関連付けてデータベースに格納する情報格納部をさらに備えることを特徴とする請求項２に記載のソーシャルネットワークサービス提供システム。
【請求項４】
前記ユーザ情報提供部は、前記モバイル端末のユーザによって設定された距離情報をさらに提供し、
前記モバイル端末確認部は、前記位置情報および前記距離情報を用いて決定される範囲内に位置する他のモバイル端末を確認することを特徴とする請求項１に記載のソーシャルネットワークサービス提供システム。
【請求項５】
前記モバイル端末確認部は、動きによるリクエストを送信した他のモバイル端末のうち前記位置情報および前記距離情報を用いて決定される範囲内に位置する他のモバイル端末を確認することを特徴とする請求項４に記載のソーシャルネットワークサービス提供システム。
【請求項６】
前記ユーザ情報提供部は、前記モバイル端末で前記リクエストを送信するときのローカル時刻および前記リクエストが受信されるときの到着時刻のうち少なくとも１つの時刻に関する情報をさらに提供し、
前記モバイル端末確認部は、前記少なくとも１つの時刻に関する情報をさらに用いて前記少なくとも１つの他のモバイル端末を確認することを特徴とする請求項１に記載のソーシャルネットワークサービス提供システム。
【請求項７】
前記ユーザ情報提供部は、前記モバイル端末のユーザによって設定された距離情報をさらに提供し、
前記モバイル端末確認部は、動きによるリクエストを送信した他のモバイル端末のうち前記位置情報および前記距離情報を用いて決定される範囲内に位置し、前記ローカル時刻の差または前記到着時刻の差が既に設定された値以下である他のモバイル端末を確認することを特徴とする請求項６に記載のソーシャルネットワークサービス提供システム。
【請求項８】
ユーザごとに関係が結ばれた他のユーザに関する情報をデータベースに維持するユーザ情報維持部をさらに備えることを特徴とする請求項１に記載のソーシャルネットワークサービス提供システム。
【請求項９】
前記モバイル端末確認部は、前記モバイル端末のユーザによって設定された時間に既に設定された時間ごとに他のモバイル端末を確認し、
前記ユーザ情報提供部は、前記既に設定された時間ごとに前記確認された他のモバイル端末のユーザに関する情報を前記モバイル端末に提供することを特徴とする請求項１に記載のソーシャルネットワークサービス提供システム。
【請求項１０】
モバイル端末から前記モバイル端末の動きに応じて発生するリクエストを受信するステップと、
前記モバイル端末の位置情報を提供するステップと、
前記位置情報に基づいて少なくとも１つの他のモバイル端末を確認するステップと、
前記確認された他のモバイル端末のユーザに関する情報を提供するステップと、
を含むことを特徴とするソーシャルネットワークサービス提供方法。
【請求項１１】
前記他のモバイル端末のユーザに関する情報を提供するステップは、前記モバイル端末のユーザに関する情報を前記他のモバイル端末にさらに提供することを特徴とする請求項１０に記載のソーシャルネットワークサービス提供方法。
【請求項１２】
前記モバイル端末で前記確認された他のモバイル端末のユーザに関する情報が選択され、前記確認された他のモバイル端末で前記モバイル端末のユーザに関する情報が選択される場合、前記モバイル端末のユーザに関する情報と前記他のモバイル端末のユーザに関する情報とを関連付けてデータベースに格納するステップをさらに含むことを特徴とする請求項１１に記載のソーシャルネットワークサービス提供方法。
【請求項１３】
前記モバイル端末のユーザによって設定された距離情報を提供するステップをさらに含み、
前記少なくとも１つの他のモバイル端末を確認するステップは、前記位置情報および前記距離情報を用いて決定される範囲内に位置する他のモバイル端末を確認することを特徴とする請求項１０に記載のソーシャルネットワークサービス提供方法。
【請求項１４】
前記モバイル端末のユーザによって設定された距離情報を提供するステップをさらに含み、
前記少なくとも１つの他のモバイル端末を確認するステップは、動きによるリクエストを送信した他のモバイル端末のうち、前記位置情報および前記距離情報を用いて決定される範囲内に位置する他のモバイル端末を確認することを特徴とする請求項１０に記載のソーシャルネットワークサービス提供方法。
【請求項１５】
前記モバイル端末のユーザによって設定された距離情報を提供するステップ、及び前記モバイル端末で前記リクエストを送信するときのローカル時刻および前記リクエストが受信されるときの到着時刻のうち少なくとも１つの時刻に関する情報を提供するステップをさらに備え、
前記少なくとも１つの他のモバイル端末を確認するステップは、前記少なくとも１つの時刻に関する情報をさらに用いて前記少なくとも１つの他のモバイル端末を確認することを特徴とする請求項１０に記載のソーシャルネットワークサービス提供方法。
【請求項１６】
前記少なくとも１つの他のモバイル端末を確認するステップは、動きによるリクエストを送信した他のモバイル端末のうち前記位置情報および前記距離情報を用いて決定される範囲内に位置し、前記ローカル時刻の差または前記到着時刻の差が既に設定された値以下である他のモバイル端末を確認することを特徴とする請求項１５に記載のソーシャルネットワークサービス提供方法。
【請求項１７】
ユーザごとに関係が結ばれた他のユーザに関する情報をデータベースに維持するステップをさらに含むことを特徴とする請求項１０に記載のソーシャルネットワークサービス提供方法。
【請求項１８】
前記少なくとも１つの他のモバイル端末を確認するステップは、前記モバイル端末のユーザによって設定された時間に既に設定された時間ごとに他のモバイル端末を確認し、
前記他のモバイル端末のユーザに関する情報を提供するステップは、前記既に設定された時間ごとに前記確認された他のモバイル端末のユーザに関する情報を前記モバイル端末に提供することを特徴とする請求項１０に記載のソーシャルネットワークサービス提供方法。
【請求項１９】
請求項１０乃至請求項１８のいずれか１項の方法を行うプログラムを記録するコンピュータで読み出し可能な記録媒体。
【請求項２０】
無線通信を介してソーシャルネットワークサービス提供システムに接続可能であって、ディスプレイ及び動きを検出するセンサを備えたユーザ端末にインストールされ、当該ユーザ端末に、
前記センサがユーザ端末の所定の動きを検知した場合にリクエストを前記ソーシャルネットワークサービス提供システムへ送信させ、
前記リクエストに応じて前記ソーシャルネットワークサービス提供システムが応答してきた当該ユーザ端末から所定距離内に存在する他のユーザ端末のユーザに関する情報を前記ディスプレイに表示させ、
前記ディスプレイに表示された他のユーザ端末のユーザに関する情報の何れかが選択された場合に、選択されたユーザに関する情報を前記ソーシャルネットワークサービス提供システムへ送信させる
ソーシャルネットワークサービスアプリケーションプログラム。